(57)【要約】本発明は盗難に対して品物を守る方法に関する。本発明の方法では、少なくとも１つのストラップで固定する手段（１０）が固定される品物（２）の周りで締め付けられ、ストラップで固定する手段（１０）の重なった領域が互いに接合される。少なくとも１つの電子的に検出できるセキュリティ素子（２１）が、セキュリティ素子（２１）が重なった領域の間に含まれるようにストラップで固定する手段（１０）に供給される。さらに本発明は、品物の周りで締め付けることにより盗難に対して品物を守る装置（１）に関し、その装置は、少なくとも１つのストラップで固定する手段（１０）が、固定される品物（２）を包むストラップで固定する手段（１０）の重なった領域を閉じる装置（１８）を備える。本装置は、ストラップで固定する手段（１０）が閉じられる前に少なくとも１つのセキュリティ素子（２１）を付ける装置をさらに備える。
2007533555.tif 000002
【特許請求の範囲】
【請求項１】
少なくとも１つのストラップで固定する手段が固定される対象物の周りに輪を作り、上記ストラップで固定する手段の重なった部分が一緒に接合される盗難に対して対象物を守る方法であって、セキュリティ素子（２１、２７、４３、５０、５５）が上記重なった部分（４８、４９、５３、５４）の間に包まれるように、少なくとも１つの電子的に検出できる上記セキュリティ素子（２１、２７、４３、５０、５５）を、上記ストラップで固定する手段（１０、４６、５２）に供給するステップを有することを特徴とする方法。
【請求項２】
請求項１に記載の方法であって、ストラップで固定する動作の前に上記ストラップで固定する手段（１０、４６、５２）に上記セキュリティ素子（２７、４３、５０、５５）を供給するステップおよび上記セキュリティ素子を上記重なった部分（４８、４９、５３、５４）の１つに付けるステップを有することを特徴とする方法。
【請求項３】
請求項１に記載の方法であって、ストラップで固定する動作の間に上記ストラップで固定する手段（１０、４６、５２）に上記セキュリティ素子（２１、４３、５０、５５）を供給するステップおよび、上記重なった部分（４８、４９、５３、５４）の中間に上記セキュリティ素子を配置するステップを有することを特徴とする方法。
【請求項４】
請求項３に記載の方法であって、ストラップで固定する手段（１０、４６、５２）として、上記対象物（２、４５）の周りを廻る関係で、溶接可能なベルト状のストラップ材料から出来た少なくとも１つのループ（１７）を配置し、上記ベルト状のストラップ材料の上記重なった部分（４８、４９、５３、５４）が溶接範囲を形成するステップと、少なくとも部分的に溶解できる材料でコーティングされたセキュリティ素子（２１、２７、４３、５０、５５）を上記溶接範囲内の上記バンド形状のストラップ材料の上記重なった部分（４８、４９、５０、５５）の間に導入するするステップと、上記ストラップ材料と上記コーティングされたセキュリティ素子（２１、２７、４３、５０、５５）とを上記溶接範囲内で互いに実質的に溶接して、上記ループ（１７）を閉じるステップを有することを特徴とする方法。
【請求項５】
請求項４に記載の方法であって、溶接動作のために摩擦溶接または超音波溶接プロセスを使用するステップを有することを特徴とする方法。
【請求項６】
請求項１から請求項５のいずれか１つに記載の方法であって、コンベヤー（１５）により少なくとも部分的に上記対象物（２、４５）を囲むベルトの案内部（３、３６）に上記ストラップで固定する手段（１０、４６、５２）を供給し、上記案内部を通して送るステップ、および／または上記ストラップで固定する手段（１０、４６、５２）を供給リール（９、３８）から取り除き、接合動作の前にまたは後に続いてストラップ材料の残りの供給により上記ループ（１７）を供給するステップを有することを特徴とする方法。
【請求項７】
請求項１から請求項６のいずれか１つに記載の方法であって、連続した細長い一片の形で巻かれた供給リール（２３、３０）から上記セキュリティ素子（２１、２７、４３、５０、５５）をはがし、上記ストラップで固定する手段（１０、４６、５２）に供給するステップ、および上記ストラップで固定する手段（１０、４６、５２）の中の上記セキュリティ素子との一体化の前にまたは後に続いて上記連続した細長い一片から１つのセキュリティ素子（２１、２７、４３、５０、５５）を供給するステップを有することを特徴とする方法。
【請求項８】
請求項１から請求項６のいずれか１つに記載の方法であって、細長い一片の素子の大きさに切断された上記セキュリティ素子（４３、５０、５５）を供給するステップ、および上記ストラップで固定する手段（１０、４６、５２）に一度に１つそれらのセキュリティ素子を供給するステップを有することを特徴とする方法。
【請求項９】
請求項１から請求項８のいずれか１つに記載の方法であって、固定される上記対象物（２、４５）を２つのストラップで固定する手段（１０、４６、５２）とストラップで固定するステップ、およびそのプロセス中に少なくとも２つのセキュリティ素子（２１、２７、４３、５０、５５）を、互いに９０度の角度で上記対象物に貼るステップを有することを特徴とする方法。
【請求項１０】
少なくとも１つのストラップで固定する手段で対象物の周りを廻すことにより盗難に対して対象物を守り、固定される上記対象物の周りを廻るストラップで固定する手段の重なった部分を閉じる装置を備えた装置であって、少なくとも１つの電子的に検出できるセキュリティ素子（２１、２７、４３、５０、５５）を、上記ストラップで固定する手段（１０、４６、５２）が閉じられる前に上記セキュリティ素子に付ける装置であるので、上記閉じる装置（１８、４２）により上記重なった部分が閉じられた時、上記ストラップで固定する手段の上記重なった部分の間に上記セキュリティ素子が包まれることを特徴とする装置。
【請求項１１】
請求項１０に記載の装置であって、上記取り付け装置が、上記ストラップで固定する手段（１０）の上記重なった部分（４９、５４）の各々に、上記ストラップで固定する手段（１０、４６、５２）と一体化するセキュリティ素子（４７、４３、５０、５５）を付けるのに対応した分配装置（２６）を含み、１つの上記重なった部分が、ストラップで固定する動作の間に、上記ストラップで固定する手段（１０）のもう１つの部分と重なることを特徴とする装置。
【請求項１２】
請求項１０に記載の装置であって、取り付け装置が位置決め装置（２０）を含み、それと共に上記ストラップで固定する手段（１０、４６、５２）に一体化される必要のあるセキュリティ素子（２１、５０、５５）が、上記重なった部分（４８、４９、５３、５４）の中間に位置するようになっていることを特徴とする装置。
【請求項１３】
請求項１０から請求項１２のいずれか１つに記載の装置であって、ストラップで固定する手段（１０、４６、５２）として、溶解でき、ベルト状のストラップ材料が、少なくとも部分的に上記対象物（２、４５）を囲むように配置されたベルトの案内部（３）を供給するようになっていることにより、上記装置がコンベアー（１５）を含むことを特徴とする装置。
【請求項１４】
請求項１０から請求項１３のいずれか１つに記載の装置であって、上記セキュリティ素子（２１、２７、４３、５０、５５）が１つずつ配置され、マガジンの大きさに切断されるか、連続した細長い一片として供給リール（２３、３０）に巻かれていることを特徴とする装置。
【請求項１５】
請求項１０から請求項１４のいずれか１つに記載の装置であって、セキュリティ素子（２１、２７、４３、５０、５５）を拾い上げ、上記セキュリティ素子（２１、２７、４３、５０、５５）を上記取り付け装置に供給する供給装置を備えることを特徴とする装置。
【請求項１６】
請求項１０から請求項１５のいずれか１つに記載の装置であって、上記重なった部分（４８、４９、５３、５４）の長さにほぼ対応した大きさにセキュリティ素子（２１、２７、４３、５０、５５）を切断する供給装置、好ましくは切断装置が設けられることを特徴とする装置。
【請求項１７】
請求項１０から請求項１６のいずれか１つに記載の装置であって、上記閉じる装置（１８、４２）が摩擦溶接装置または超音波溶接装置であり、上記セキュリティ素子（２１、２７、４３、５０、５５）が少なくとも部分的に熔解できる材料でコーティングされていることを特徴とする装置。
【請求項１８】
請求項１０から請求項１７のいずれか１つに記載の装置であって、上記セキュリティ素子（２１、２７、４３、５０、５５）が細長い一片の形状であること、および／または、運搬ウェブ（２２、２８）の上に配置されることを特徴とする装置。
【請求項１９】
請求項１０から請求項１８のいずれか１つに記載の装置であって、上記取り付け装置が少なくとも１つのアイドラーロールおよび分配へり（３１）を備えることを特徴とする装置。
【請求項２０】
請求項１０から請求項１９のいずれか１つに記載の装置であって、上記ストラップで固定する手段（１０、４６、５２）がベルトの供給部としての供給リール（９、３８）に巻かれ、上記ストラップで固定する手段の重なった部分が一緒に接合された後で、上記ベルトの供給部から上記ストラップで固定する手段を供給する供給装置が設けられることを特徴とする装置。
【発明の詳細な説明】
【技術分野】
【０００１】
本発明は、盗難に対して対象物を守る方法に関し、固定される対象物の周りに少なくとも１つのストラップで固定する手段が輪を作り、ストラップで固定する手段の重なる部分が一緒に結合され、盗難に対して対象物を守る装置に対して対象物を少なくとも１つのストラップで固定する手段で巻くことにより、ストラップで固定する手段の重なる部分を閉じる装置により、固定する対象物を巻く。
【背景技術】
【０００２】
売り場で販売用に提供される商品の品目は、商品が包装から外されるのを防ぎ、気付かずにレジカウンターを通って運ばれるのを防ぐために、商品の包装の周りにプラスティックのベルトを巻き付けることにより、盗難に対してますます守られる。
【０００３】
ストラップにより品物を固定する方法および装置は、例えば特許文献１で知られている。本明細書で説明されているストラップで固定する機械では、ベルトコンベヤーが、固定する対象物を部分的に囲むベルトの案内部の中に、高速でプラスティックのベルトを発射する。それによりループが形成され、対象物の周りにベルトを配置する。ベルトの自由端は、ベルト保持部により捕まえられ、所定の位置に固定される。次にベルトコンベヤーが、反対方向にベルトを引く。これにより、ループが対象物の周りにきつく引っ張られ、対象物の表面に対してぴったりと設置される。張力をかける装置により、ベルトに張力がかけられ、次に張力がかけられた状態で、閉じる装置によりベルトの重なった部分で閉じられる。
【０００４】
さらに、電子的に検出できるセキュリティ素子の助けを借りて、盗難に対して商品の品目を守ることが知られていて、概して、包装にまたは固定される対象物に直接付けられる。そのようなセキュリティ素子は、電子的に検出できる信号を発する電気装置、電子装置、および／また磁気装置を含む。適切な検出装置は、セキュリティ素子に磁場を発生させて特定の信号を発生させる磁場の変化を引き起こす。次に、この特定の信号は、検出装置により受信されて、検出装置が警報をだす。
【０００５】
例えば特許文献２から、セキュリティタグが知られていて、そのセキュリティタグは、電子的に検出でき、解除できるセキュリティ素子を備え、糊の着いたコーティングが周りを覆っている。解除できるセキュリティ素子は、柔らかい磁石の細長い一片の素子であって、磁場を発生させて特定の信号を発することが可能であって、硬い磁石の材料の長方形の素子に付けられる。硬い磁石の材料は強い磁界により飽和状態に達し、その磁性化により、柔らかい磁石の材料が反応しなくなるので、商品が正しく購入されると、セキュリティ素子が解除される。このセキュリティ素子は、保管および輸送のために皮の細長い一片に付着している。皮の細長い一片が取り除かれると、露出された粘着性のコーティングを持つセキュリティ素子が、固定される対象物に付着できる。しかし、そのようなセキュリティタグは、固定される対象物またはその包装から比較的容易に取り外せる欠点を持つ。
【特許文献１】独国特許出願公開第ＤＥ１９５１６０４３Ａ１号
【特許文献２】欧州特許出願公開第ＥＰ０４４６９１０Ａ１号
【発明の開示】
【発明が解決しようとする課題】
【０００６】
本発明の目的は、保護する対象物を固定する有効性および効率的使用を提供する最初に言及したタイプの方法および装置を提供することである。
【課題を解決するための手段】
【０００７】
最初に言及したタイプの方法から進歩して、本発明にかかるこの目的は、セキュリティ素子がストラップの重なる部分の間に包まれるように、少なくとも１つの電子的に検出できるセキュリティ素子を、ストラップで固定する手段に供給することにより実現される。
【０００８】
本発明のこのアプローチでは、セキュリティ素子が、固定された品物からもう容易には取り除けないことが保証される。本発明により、セキュリティ素子が、ストラップで固定する手段の重なる部分の間に包まれ、これはセキュリティ素子を取り除くには、ストラップ全体が取り除かれねばならないことを意味する。商品の包装に付着したセキュリティ素子は、ストラップで固定する手段の上に貼られたセキュリティ素子と同じくらい容易に取り除ける。しかし、ストラップで固定する手段は、重なった部分の区間で、見えないようにかつ固定されて閉じられ、この区間で一緒に接合されるので、ストラップで固定する手段のこの特定の区間に包まれる本発明にかかるセキュリティ素子は取り除けない。重なった部分の接合は、例えばとてもしっかりした接着が得られる溶接により実現される。さらに、固定される対象物をストラップで固定するプロセスは、ワンパスで電子品物監視用のセキュリティ素子を利用するプロセスと組み合わすことができ、とても高速で低コストの品物を守る方法になる。
【０００９】
セキュリティ素子は、例えば電磁気（ＥＭ）の、音響磁気（ＡＭ）の、ＲＦの、またはＲＦ−ＩＤの素子を含んでもよい。したがって、本発明により、異なるタイプのセキュリティ素子が使用でき、平らなセキュリティ素子、例えば、細長い一片状のセキュリティ素子または薄いフィルムの素子が好ましい。これらは解除できるタイプであってもよく、商品に対して適切な支払いがされるとレジでそれらを解除できる。細長い一片または薄いフィルムの素子を使用すると、問題なくストラップにセキュリティ素子を一体化できる薄い層の厚みを持つ利点をさらに提供する。
【００１０】
ＥＭすなわち電磁気の場合、セキュリティ素子として素子が使用され、ＥＭ材料は、解除できる素子または解除できない材料として細長い一片の素子（「シンプルな細長い一片」）をコーティングするプラスティックの内部に含まれる同時押し出し材料であってもよい。プラスティックのコーティングは、ストラップの固定が形成できるプラスティックのベルトと融合する市販の同時押し出しプラスティックからできている。
【００１１】
本発明の方法の有利な形態では、ストラップで固定する動作および重なった部分の１つに付けられる前に、ストラップで固定する手段に供給されるセキュリティ素子が与えられる。したがって、セキュリティ素子は、ストラップで固定する手段がストラップで固定する動作に与えられる時に、セキュリティ素子がストラップで固定する手段に既に貼られていてもよい。これにより、セキュリティ素子が、適切な位置に、所定の相対距離を有してストラップで固定する手段に付けられて、これらが一緒に接合された時に、セキュリティ素子が、ストラップで固定する手段の重なった部分の間に位置する。
【００１２】
本発明の方法のもう１つの有利な形態では、ストラップで固定する動作の間にストラップで固定する手段に供給され、重なった位置の間に位置するセキュリティ素子が与えられる。これは、セキュリティ素子を供給する動作をストラップで固定する動作と組み合わせるので、対象物の完全な固定がワンパスで実行され、極度に効率的なプロセスになる。
【００１３】
この配置により、ストラップで固定する手段として、溶接可能で、ベルト状のストラップ材料からつくられた少なくとも１つのループが、溶接範囲を形成するベルト状のストラップ材料の重なった部分と共に、対象物の周りを廻る関係に配置され、少なくとも部分的に溶解する材料でコーティングされたセキュリティ素子が、溶接範囲内のベルト状のストラップ材料の重なった部分の間に導入され、ストラップ材料とコーティングされたセキュリティ素子とを、溶接範囲で互いに溶接することにより、ループを閉じる。セキュリティ素子をストラップ材料に溶接することにより、とてもしっかりとした接着が形成されて、セキュリティ素子を取り除くことが特に不可能になる。溶接に関して、摩擦溶接または超音波溶接プロセスが使用できる。
【００１４】
本発明の方法の有利な形態では、コンベヤーにより少なくとも部分的に対象物を囲むベルトの案内部に供給し、上記案内部を通して送ると、ストラップで固定する手段がさらに提供され、ストラップで固定する手段は供給リールから取り除かれ、接合する動作の前または接合する動作に続いて、ストラップ材料の残りの供給によりループが提供される。
【００１５】
セキュリティ素子は、連続した細長い一片の形で巻かれた供給リールからはがされ、ストラップで固定する手段に供給される。このプロセスでは、１つのセキュリティ素子が、ストラップで固定する手段の中に包まれる前にまたは後に連続して細長い一片から供給される。
【００１６】
代わりにセキュリティ素子は細長い一片の素子の大きさに切断されて供給でき、ストラップで固定する手段を１度に１つ供給できる。
【００１７】
固定される対象物が２つのストラップで固定する手段によりストラップで固定された時、２つのセキュリティ素子が、互いに９０度の角度で対象物に貼られるプロセスでは、売り場の出口の検出装置のアンテナの検出感度を向上でき、本発明の方法の有効性がさらに増加する。
【００１８】
最初に言及したタイプの装置から進歩して、少なくとも１つの電子的に検出できるセキュリティ素子を、ストラップを固定する手段を閉じる前に、ストラップで固定する手段に付ける装置を含む本発明にかかる目的が実現される。この取り付け装置により、従来のストラップで固定する機械の機能は、有利な方法でさらに発展できて、例えば、ストラップで固定する動作によりセキュリティ素子の供給の組合せを可能にし、いいかえると、１つの装置内の機械的および電子的セキュリティ素子の利用を可能にする。
【００１９】
この配置では、取り付け装置は、ストラップで固定する手段と一体化する重なった部分の１つにセキュリティ素子を付けるのに対応した分配装置を含んでもよい。例えば、単純な分配へり等のそのような分配装置により、セキュリティ素子が、ストラップで固定する動作に供給される前にストラップで固定する手段に付けられてもよく、言い換えると、ストラップで固定する手段のベルトの案内部に打ち込まれてもよい。この方法では、セキュリティ素子が、ストラップで固定する手段の重なった部分と一緒に接合される時、ストラップで固定する手段の重なった部分の間に配置されるように、適切な位置かつ所定の相対距離で、ストラップで固定する手段に付けられるように、本発明にかかる装置が制御ユニットにより制御される必要がある。
【００２０】
代わりに、取り付け装置は位置決め装置を含んでもよく、その位置決め装置により、ストラップで固定する手段と一体化される必要のあるセキュリティ素子が、重なる部分の中間に位置される。この位置決め装置は、２つの重なった部分を接合する直前に、セキュリティ素子がストラップで固定する手段の上部層および下部層の間に導入される方法で、配置され、調整可能であるので、セキュリティ素子は、接合動作の間およびその後、ストラップで固定する手段の２つの重なった部分の間に包まれる。
【００２１】
ストラップで固定する手段として、溶接可能でベルト状のストラップ材料がベルトの案内部に供給できることにより、本発明にかかる装置は、好ましくはコンベヤーを含む。ベルトの案内部は、少なくとも部分的に対象物を囲むように配置されるので、ストラップで固定する手段は、固定される対象物の周りにループを形成する。
【００２２】
セキュリティ素子は、１つずつ配置されてもよく、マガジンの大きさに切られてもよく、連続した細長い一片として供給リールに巻かれてもよい。どちらの方法でも、セキュリティ素子は取り付け装置に高速かつ短い間隔で供給できる。
【００２３】
本発明の装置の有利な形態では、セキュリティ素子を拾い上げ、取り付け装置に供給する供給装置も提供される。
【００２４】
重なる部分の長さにほぼ対応する大きさにセキュリティ素子を切断する供給装置好ましくは切断装置が設けられる場合は、セキュリティ素子は、重なる部分により完全に包まれることのできる大きさで与えられる。
【００２５】
閉じる装置は、例えば摩擦溶接装置、または超音波溶接装置であってもよい。これらの場合、セキュリティ素子が熔解できる材料により少なくとも部分的にコーティングされると、ストラップ材料およびセキュリティ素子は、それらのセキュリティ素子が事実上取り除かれるのを防止するとてもしっかりとした接着が形成されるように、互いに溶接されてもよい。
【００２６】
セキュリティ素子は、好ましくは細長い一片形状の構成であり、かつ／ないしは、運搬ウェブ上に配置される。セキュリティ素子は、例えば、電磁気（ＥＭ）の、音響磁気（ＡＭ）の、ＲＦの、またはＲＦ−ＩＤの素子を含んでもよい。
【００２７】
取り付け装置が少なくともアイドラーロールおよび分配へりを備えると、セキュリティ素子は高い信頼性でかつ高速に付けられ、供給できる。
【００２８】
ストラップで固定する手段がベルトの供給部として供給リールに巻かれ、ストラップの重なった部分が一緒に接合された後で、ベルト供給部からストラップで固定する手段が供給される供給装置が提供されると、本発明にかかる装置の特に効果的であって、トラブルを受け付けない動作が保証される。
【発明を実施するための最良の形態】
【００２９】
以下、添付の図を参照して発明の実施の形態を説明する。
【００３０】
図１は、盗難に対して対象物２を守る本発明の装置１にかかる実施の形態を示す。装置１は、テーブル５を備えた装置１の下部のレール４に設けられたベルトの案内部３を含む。ベルトの案内部３の側部のレール６、７および上部のレール８はテーブル５の周りに配置されるので、テーブル５の下面に配置された対象物２がベルトの案内部３の境界の中にある。本発明の装置１は、ストラップで固定する手段１０用の供給リール９をさらに含む。ストラップで固定する手段１０は、例えばプラスティックなどの溶接できる材料からできたベルト１１である。ストラップで固定する手段１０は、アイドラーロール１３を介して供給装置１２により供給リール９から取り出され、ベルトのマガジン１４に供給される。コンベヤー１５によりベルト１１は、ベルトのマガジン１４からベルトの案内部３に高速で射出される。ベルト１１の自由端は閉じる範囲で捕らえられ、定位置にしっかりと固定される。次に、コンベヤー１５の進行方向が逆になり、ベルト１１は引っ込められ、ループ１７の形で対象物２の周りにベルト１１を配置する。最後にストラップで固定する手段１０は、図示されていない張力ローラーを配置してもよい張力をかける装置により対象物２の周りで締め付けるように張力をかけられるので、ループ１７は対象物２に対してぴったりと配置される。次に、ストラップで固定する手段１０の２つの反対に配置され、重なった部分が、閉じる範囲１６に存在する。位置決め装置２０が、ストラップで固定する手段１０の２つの重なった部分の間の空間１９に直接近接するように配置される。位置決め装置２０は、電子的に検出できるセキュリティ素子２１を閉じる範囲１６に供給するために使用される。位置決め装置２０は調節できるタイプであり、それ故、セキュリティ素子２１が、ストラップで固定する手段１０の重なった部分の間に位置することができる。セキュリティ素子２１は粘着性のコーティングにより運搬ウェブ２２に貼られ、ウェブが供給リール２３に巻かれる。位置決め装置２０を介して送られて、セキュリティ素子２１をその上に保持する運搬ウェブ２２はフィードロール２４により供給リール２３から取り除かれる。空間１９に近い終端部に、位置決め装置２０は分配へりをもち、その分配へりでは、セキュリティ素子２１が運搬ウェブ２２から薄層に裂かれ、ストラップで固定する手段１０の重なった部分のうちの下の部分に付けられ、その上で粘着性のコーティングにより接着されてとどまる。
【００３１】
本発明の代わりの実施の形態では、セキュリティ素子２１が、ストラップで固定する手段１０の重なった部分のうちの上の部分に付けられてもよい。どちらの場合でも、図１に示された本発明の装置１にかかる実施の形態により、セキュリティ素子２１は、ストラップで固定する動作の間ストラップで固定する手段に提供され、ストラップで固定する手段１０の重なった部分の間に配置される。一旦、セキュリティ素子２１がストラップで固定する手段１０の重なった部分に与えられると、これらの部分は閉じる装置１８により接合される。閉じる装置１８は、例えば、溶接できるストラップ材料を一緒に溶接できる摩擦溶接装置または超音波溶接装置であってもよく、それによってループ１７、すなわちストラップで固定する手段１０を閉じる。
【００３２】
本発明の特別な実施の形態では、セキュリティ素子２１は、追加的にストラップの重なった部分を互いに溶接する間熔解する材料により覆われていてもよく、それ故、ストラップで固定する手段１０の材料としっかりとした接着を形成する。ストラップで固定する手段１０が閉じられた後で、セキュリティ素子２０は、外から見えないようにストラップで固定する手段１０の重なった部分の間に包まれて、ストラップで固定する手段から事実上取り外せない。さらに閉じる装置１８は、好ましくは、ベルトの供給部を意味する残りのストラップ材料から、ループ１７を意味する次に閉じられるストラップで固定する手段１０を供給する供給ユニットを含む。本発明のプロセスの完了時には、ループ１７が対象物２を囲み、ループ１７が、ストラップで固定する手段１０の重なった部分の間に見えないように包まれたセキュリティ素子２１を含む。次に、本発明のもう１つの実施の形態では、対象物２は９０度の角度、回転させられて、再度ストラップで固定されてもよいので、互いに直角に配置された２つのループが対象物２を固定する。これにより、互いに直角に配置された２つのセキュリティ素子となるので、この実施の形態は検出感度をさらに向上できる。本発明の装置１は、供給装置、例えば、切断装置を含んでもよく、その切断装置は、ストラップで固定する手段１０の重なった部分の長さにほぼ対応する長さにセキュリティ素子２１を切断する。セキュリティ素子２１が、完全に、言い換えると、見えないように、重なった部分に包まれるようにするために、セキュリティ素子が切断される長さは、重なった部分の長さよりわずかに短い長さであるべきである。
【００３３】
図２は、対象物２を守る本発明の装置２５にかかるもう１つの実施の形態を示す。セキュリティ素子２７が、実際にストラップで固定する動作の前に、ストラップで固定する手段１０の適切な部分に付けられることにより、セキュリティ素子を付ける装置が本質的に分配装置２６を備える点で、装置２５は図１の装置１とは異なる。またこの実施の形態では、セキュリティ素子２７が運搬ウェブ２８の上に配置され、フィードロール２９により供給リール３０から送られる。このプロセスでは、セキュリティ素子２７を上に保持した運搬ウェブ２８は一端に分配へり３１を持つ分配装置２６を介して送られる。セキュリティ素子２７は、分配へり３１で運搬ウェブ２８から薄層に裂かれ、ベルト１１を意味するストラップで固定する手段１０に付けられる。これが起こると、装置２５は、ストラップで固定する手段１０の１つの部分がもう１つのストラップで固定する手段１０との固定動作の間に重なる１つの部分にセキュリティ素子２７が付けられる方法で制御されねばならず、それ故、ストラップで固定する手段１０の重なった部分の間にセキュリティ素子２７を包むことができる。したがって、本発明の装置２５により、ストラップで固定する動作の前に、セキュリティ素子２７がストラップで固定する手段１０に供給され、セキュリティ素子２７は重なった部分の１つに付けられる。それらを運搬ウェブ２８およびストラップで固定する手段に接着するために、セキュリティ素子２７は、例えば粘着性のコーティングを備えていてもよい。代わりに、セキュリティ素子２７は、重なった部分が接合された時にストラップ材料と融合する溶解できる材料でコーティングされていてもよいので、セキュリティ素子２７はとてもしっかりと、かつ実用的に分離しないように重なった部分に包まれる。
【００３４】
図３は、従来のストラップで固定する機械３５を示し、テーブル３７の下面に配置された対象物２を囲むベルトの案内部３６を同様に含む。さらに、ストラップで固定する機械３５は、ストラップで固定する手段１０用の供給リール３８も含み、そこから、ストラップで固定する手段３５が、供給装置３９によりベルトのマガジン４０に供給される。ここで、ストラップで固定する手段１０は、ベルトのマガジン４０からコンベヤー４１を介してベルトの案内部３６の中に射出され、それに続いて閉じる装置４２により閉じられる。図２の実施の形態と同様に、セキュリティ装置４３は、ストラップで固定する動作の前にストラップで固定する手段１０に供給され、接合するストラップで固定する動作の間に重なるストラップで固定する手段１０の部分に付けられる。この目的のため、本実施の形態では、セキュリティ素子４３は、所定の相対距離で、ストラップで固定する手段１０にあらかじめ付けられ、ストラップで固定する手段と共に供給リール３８に巻かれている。本実施の形態の効果は、従来の、そしてこの場合は恐らく、既に存在しているストラップで固定する機械３５が本発明の方法を実行するために使用できる点にある。
【００３５】
図４は本発明の対象物４５の斜視図であり、ループの形で対象物の周りを廻るストラップで固定する手段４６を示す。ストラップで固定する手段４６は、ストラップで固定する手段４６の２つの部分４８、４９が重なる関係にある区間４７を持つ。これらの部分４８、４９はしっかりと接合され、好ましくは互いに溶接され、ストラップで固定する手段４６は、好ましくは溶接できるプラスティックから出来ている。細長い一片の形状のセキュリティ素子５０（破線で示される）が部分４８、４９の間に挟まれていて、セキュリティ素子５０は、重なった部分４８、４９の間に完全に包まれ、それ故外からは見えない。対象物４５は商品の品目の包装５１である。一方で、ストラップで固定することにより包装５１が開けられるのを防ぎ、それに続いて商品の品目が取り外されるのを防ぎ、他方で、セキュリティ素子５０は品目が売り場から不正に取り外されるのを防ぐ。
【００３６】
図５は図４の対象物４５を示し、本実施の形態では、さらにもう１つのストラップで固定する手段５２により固定される。もう１つのセキュリティ素子５５が２つの重なる部分５３、５４の間のストラップで固定する手段５２の中に包まれる。セキュリティ素子５０および５５が互いに直角に配置されるので、対象物が、監視されている範囲を通って運び出された時より高い検出感度を示す。
【００３７】
全ての上に記載された場合では、細長い一片形状のセキュリティ素子は同時押し出しＥＭ材料から出来ていてもよく、そのうちの定義された量は、ストラップで固定する手段の長さ方向に、分離した供給リールから供給される。しかし、ＥＭ材料が任意の所望の方向に供給されてもよいことは分かるであろう。全ての場合、ＥＭ材料はストラップで固定する材料、好ましくはプラスティックのベルトの上部層および下部層の間に導入される。例えば超音波ヘッド等の溶接ヘッドは、ストラップで固定する手段をＥＭ材料と融合させる。
【００３８】
図６は図５の２つのストラップで固定する手段４６、５２により固定された対象物４５を示す。同時押し出しＥＭ材料で出来たセキュリティ素子が重なった部分５３、５４の間のストラップで固定する手段５２の中に包まれる。さらに、図６は、個々のセキュリティ素子５５が、ストラップの重なった領域の中に包まれるだけではなく、重なった領域から突き出ていてもよく、その様子は図６から容易に分かる。上記のように、セキュリティ素子は重なった部分５３、５４の間、または他の重なった部分の間に包まれてもよく、これは、セキュリティ素子が重なった領域から突き出さないことを意味しない。
【００３９】
同時押し出しＥＭ材料は以下の構造を持つ。
【００４０】
プラスティックのコーティングの内部は解除できる素子としての１つの素子（欧州特許ＥＰ０９２１９４２Ｂ１で知られている「シンプルな細長い一片」）または解除できない材料のみのどちらでもよい。プラスティックのコーティングは市販の同時押し出しプラスティックから出来ていて、任意の所望の色または形状を持っていてもよい。
【００４１】
ＥＭ材料は、供給リールから供給されて、溶接範囲に導入される際に適切な長さに切断されてもよく、既に適切な長さに切断されたセキュリティ素子が一度に１つずつ溶接ヘッドに供給されてもよい。この目的のため、従来のストラップで固定する機械はこの動作に対応するために変更されてもよい。
【図面の簡単な説明】
【００４２】
【図１】本発明の装置にかかる実施の形態の概略図
【図２】本発明の装置にかかるもう１つの実施の形態の概略図
【図３】本発明の方法にかかる実施の形態を実行する装置の概略図
【図４】ストラップで巻かれた対象物の斜視図
【図５】２重ストラップを備えた図４の対象物の斜視図
【図６】２重ストラップを備え、詳細図Ａに従ったプラスティックのストラップベルトに付けられた同時押し出しＥＭ材料から造られたセキュリティ素子を備えた斜視図
【符号の説明】
【００４３】
１  装置
２  対象物
３  ベルトの案内部
４  レール
５  テーブル
６  レール
７  レール
８  レール
９  供給リール
１０  ストラップで固定する手段
１１  ベルト
１２  供給装置
１３  アイドラーロール
１４  ベルトのマガジン
１５  コンベヤー
１６  閉じる範囲
１７  ループ
１８  閉じる装置
１９  空間
２０  位置決め装置
２１  セキュリティ素子
２２  運搬ウェブ
２３  供給リール
２４  フィードロール
２５  装置
２６  分配装置
２７  セキュリティ素子
２８  運搬ウェブ
２９  フィードロール
３０  供給リール
３１  分配へり
３５  ストラップで固定する機械
３６  ベルトの案内部
３７  テーブル
３８  供給リール
３９  供給装置
４０  ベルトのマガジン
４１  コンベヤー
４２  閉じる装置
４３  セキュリティ素子
４５  対象物
４６  ストラップで固定する手段
４７  範囲
４８  部分
４９  部分
５０  セキュリティ素子
５１  包装
５２  ストラップで固定する手段
５３  部分
５４  部分
５５  セキュリティ素子
【図１】
2007533555.tif 000003
【図２】
2007533555.tif 000004
【図３】
2007533555.tif 000005
【図４】
2007533555.tif 000006
【図５】
2007533555.tif 000007
【図６】
2007533555.tif 000008
【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
少なくとも１つのストラップで固定する手段が固定される対象物の周りに輪を作り、上記ストラップで固定する手段の重なった部分が一緒に接合される盗難に対して対象物を守る方法であって、セキュリティ素子（２１、２７、４３、５０、５５）が上記重なった部分（４８、４９、５３、５４）の間に包まれるように、少なくとも１つの電子的に検出できる上記セキュリティ素子（２１、２７、４３、５０、５５）を、上記ストラップで固定する手段（１０、４６、５２）に供給するステップを有することを特徴とする方法。
【請求項２】
請求項１に記載の方法であって、ストラップで固定する動作の前に上記ストラップで固定する手段（１０、４６、５２）に上記セキュリティ素子（２７、４３、５０、５５）を供給するステップおよび上記セキュリティ素子を上記重なった部分（４８、４９、５３、５４）の１つに付けるステップを有することを特徴とする方法。
【請求項３】
請求項１に記載の方法であって、ストラップで固定する動作の間に上記ストラップで固定する手段（１０、４６、５２）に上記セキュリティ素子（２１、４３、５０、５５）を供給するステップおよび、上記重なった部分（４８、４９、５３、５４）の中間に上記セキュリティ素子を配置するステップを有することを特徴とする方法。
【請求項４】
請求項３に記載の方法であって、ストラップで固定する手段（１０、４６、５２）として、上記対象物（２、４５）の周りを廻る関係で、溶接可能なベルト状のストラップ材料から出来た少なくとも１つのループ（１７）を配置し、上記ベルト状のストラップ材料の上記重なった部分（４８、４９、５３、５４）が溶接範囲を形成するステップと、少なくとも部分的に溶解できる材料でコーティングされたセキュリティ素子（２１、２７、４３、５０、５５）を上記溶接範囲内の上記バンド形状のストラップ材料の上記重なった部分（４８、４９、５３、５５）の間に導入するするステップと、上記ストラップ材料と上記コーティングされたセキュリティ素子（２１、２７、４３、５０、５５）とを上記溶接範囲内で互いに実質的に溶接して、上記ループ（１７）を閉じるステップを有することを特徴とする方法。
【請求項５】
請求項４に記載の方法であって、溶接動作のために摩擦溶接または超音波溶接プロセスを使用するステップを有することを特徴とする方法。
【請求項６】
請求項１から請求項５のいずれか１つに記載の方法であって、コンベヤー（１５）により少なくとも部分的に上記対象物（２、４５）を囲むベルトの案内部（３、３６）に上記ストラップで固定する手段（１０、４６、５２）を供給し、上記案内部を通して送るステップ、および／または上記ストラップで固定する手段（１０、４６、５２）を供給リール（９、３８）から取り除き、接合動作の前にまたは後に続いてストラップ材料の残りの供給により上記ループ（１７）を供給するステップを有することを特徴とする方法。
【請求項７】
請求項１から請求項６のいずれか１つに記載の方法であって、連続した細長い一片の形で巻かれた供給リール（２３、３０）から上記セキュリティ素子（２１、２７、４３、５０、５５）をはがし、上記ストラップで固定する手段（１０、４６、５２）に供給するステップ、および上記ストラップで固定する手段（１０、４６、５２）の中の上記セキュリティ素子との一体化の前にまたは後に続いて上記連続した細長い一片から１つのセキュリティ素子（２１、２７、４３、５０、５５）を供給するステップを有することを特徴とする方法。
【請求項８】
請求項１から請求項６のいずれか１つに記載の方法であって、細長い一片の素子の大きさに切断された上記セキュリティ素子（４３、５０、５５）を供給するステップ、および上記ストラップで固定する手段（１０、４６、５２）に一度に１つそれらのセキュリティ素子を供給するステップを有することを特徴とする方法。
【請求項９】
請求項１から請求項８のいずれか１つに記載の方法であって、固定される上記対象物（２、４５）を２つのストラップで固定する手段（１０、４６、５２）とストラップで固定するステップ、およびそのプロセス中に少なくとも２つのセキュリティ素子（２１、２７、４３、５０、５５）を、互いに９０度の角度で上記対象物に貼るステップを有することを特徴とする方法。
【請求項１０】
少なくとも１つのストラップで固定する手段で対象物の周りを廻すことにより盗難に対して対象物を守り、固定される上記対象物の周りを廻るストラップで固定する手段の重なった部分を閉じる装置を備えた装置であって、少なくとも１つの電子的に検出できるセキュリティ素子（２１、２７、４３、５０、５５）を、上記ストラップで固定する手段（１０、４６、５２）が閉じられる前に上記セキュリティ素子に付ける装置であるので、上記閉じる装置（１８、４２）により上記重なった部分が閉じられた時、上記ストラップで固定する手段の上記重なった部分の間に上記セキュリティ素子が包まれることを特徴とする装置。
【請求項１１】
請求項１０に記載の装置であって、上記取り付け装置が、上記ストラップで固定する手段（１０）の上記重なった部分（４９、５４）の各々に、上記ストラップで固定する手段（１０、４６、５２）と一体化するセキュリティ素子（４７、４３、５０、５５）を付けるのに対応した分配装置（２６）を含み、１つの上記重なった部分が、ストラップで固定する動作の間に、上記ストラップで固定する手段（１０）のもう１つの部分と重なることを特徴とする装置。
【請求項１２】
請求項１０に記載の装置であって、取り付け装置が位置決め装置（２０）を含み、それと共に上記ストラップで固定する手段（１０、４６、５２）に一体化される必要のあるセキュリティ素子（２１、５０、５５）が、上記重なった部分（４８、４９、５３、５４）の中間に位置するようになっていることを特徴とする装置。
【請求項１３】
請求項１０から請求項１２のいずれか１つに記載の装置であって、ストラップで固定する手段（１０、４６、５２）として、溶解でき、ベルト状のストラップ材料が、少なくとも部分的に上記対象物（２、４５）を囲むように配置されたベルトの案内部（３）を供給するようになっていることにより、上記装置がコンベアー（１５）を含むことを特徴とする装置。
【請求項１４】
請求項１０から請求項１３のいずれか１つに記載の装置であって、上記セキュリティ素子（２１、２７、４３、５０、５５）が１つずつ配置され、マガジンの大きさに切断されるか、連続した細長い一片として供給リール（２３、３０）に巻かれていることを特徴とする装置。
【請求項１５】
請求項１０から請求項１４のいずれか１つに記載の装置であって、セキュリティ素子（２１、２７、４３、５０、５５）を拾い上げ、上記セキュリティ素子（２１、２７、４３、５０、５５）を上記取り付け装置に供給する供給装置を備えることを特徴とする装置。
【請求項１６】
請求項１０から請求項１５のいずれか１つに記載の装置であって、上記重なった部分（４８、４９、５３、５４）の長さにほぼ対応した大きさにセキュリティ素子（２１、２７、４３、５０、５５）を切断する供給装置、好ましくは切断装置が設けられることを特徴とする装置。
【請求項１７】
請求項１０から請求項１６のいずれか１つに記載の装置であって、上記閉じる装置（１８、４２）が摩擦溶接装置または超音波溶接装置であり、上記セキュリティ素子（２１、２７、４３、５０、５５）が少なくとも部分的に熔解できる材料でコーティングされていることを特徴とする装置。
【請求項１８】
請求項１０から請求項１７のいずれか１つに記載の装置であって、上記セキュリティ素子（２１、２７、４３、５０、５５）が細長い一片の形状であること、および／または、運搬ウェブ（２２、２８）の上に配置されることを特徴とする装置。
【請求項１９】
請求項１０から請求項１８のいずれか１つに記載の装置であって、上記取り付け装置が少なくとも１つのアイドラーロールおよび分配へり（３１）を備えることを特徴とする装置。
【請求項２０】
請求項１０から請求項１９のいずれか１つに記載の装置であって、上記ストラップで固定する手段（１０、４６、５２）がベルトの供給部としての供給リール（９、３８）に巻かれ、上記ストラップで固定する手段の重なった部分が一緒に接合された後で、上記ベルトの供給部から上記ストラップで固定する手段を供給する供給装置が設けられることを特徴とする装置。
【手続補正２】
【補正対象書類名】図面
【補正対象項目名】全図
【補正方法】変更
【補正の内容】
【図１】
2007533555.tif 000009
【図２】
2007533555.tif 000010
【図３】
2007533555.tif 000011
【図４】
2007533555.tif 000012
【図５】
2007533555.tif 000013
【図６】
2007533555.tif 000014
【国際調査報告】
2007533555.tif 000015
2007533555.tif 000016
2007533555.tif 000017
2007533555.tif 000018